(57)【要約】【課題】一つのカフを用いながらも簡単な構成で血圧を正確に測定することができる電子血圧計を提供すること。【解決手段】電子血圧計において、カフは、カフ幅を調節可能にするカフ幅調節機構を備える。このカフ幅調節機構は、カフ帯に内包された広幅空気袋と、この広幅空気袋に内包された狭幅空気袋とを備える。使用者は、太さ選択スイッチ２３ｂを操作することにより、上腕の太さに応じてカフ幅を指定することができる。また、電子血圧計において、ＣＰＵ２１は、使用者が指定したカフ幅に対応する血圧算出定数を用いて血圧を算出する。【選択図】図３
2012147995.tif 000002
【特許請求の範囲】
【請求項１】
膨張可能な袋がカフ帯に内包されてなるカフを長さ方向に沿って測定対象部位に巻装し、該測定対象部位の脈動に伴う前記袋の圧力変化から演算部によって血圧を算出するように構成された血圧計であって、
前記カフは、前記長さ方向に直交する幅方向への長さであるカフ幅を調節可能にするカフ幅調節機構を備え、
前記演算部は、前記カフ幅調節機構によって調節されたカフ幅、及び前記測定対象部位の太さに応じて血圧算出定数を調整して血圧を算出することを特徴とする血圧計。
【請求項２】
前記カフ幅調節機構は、調節後の前記カフ幅を指定するカフ幅指定部と、
前記測定対象部位の太さを判断する太さ判断部と、
前記カフ幅指定部によって指定されたカフ幅情報と、前記太さ判断部によって検出された太さ情報とに基づいて、前記カフ幅情報と前記太さ情報との適合性を判断する適合性判断部と、
前記適合性判断部による判断結果を報知する報知部と、を備えることを特徴とする請求項１に記載の血圧計。
【請求項３】
前記カフ幅調節機構は、前記袋を複数有するとともに、各袋に連通するチューブを複数有することを特徴とする請求項１又は請求項２に記載の血圧計。
【請求項４】
前記カフ幅調節機構は、前記袋を一つ有するとともに、前記カフの長さ方向にスライドしながら前記カフの幅方向で前記袋内の空間を複数に区画する区画手段であることを特徴とする請求項１又は請求項２に記載の血圧計。
【請求項５】
前記カフ幅調節機構は、前記袋を一つ有するとともに、前記カフを長さ方向に沿って挟持しながら前記カフの幅方向で前記袋内の空間を複数に区画する挟持部材であることを特徴とする請求項１又は請求項２に記載の血圧計。
【発明の詳細な説明】
【技術分野】
【０００１】
本発明は、膨張可能な袋がカフ帯に内包されてなるカフを長さ方向に沿って測定対象部位に巻装し、測定対象部位の脈動に伴う袋の圧力変化から演算部によって血圧を算出するように構成された血圧計に関する。
【背景技術】
【０００２】
この種の血圧計において、カフは、その長さ方向に沿って測定対象部位（例えば、上腕）に巻装される。カフの幅方向への長さ（長さ方向に直交する方向の長さ、カフ幅という）が測定対象部位の太さに適合していないと、正確な血圧測定ができないことが知られている。そこで、特許文献１には、カフ幅の異なるカフを複数用意し、測定対象部位の太さに応じてカフを変更することにより、正確な血圧測定を行うようにした血圧計が開示されている。
【０００３】
また、血圧計としては、カフの測定対象部位に対する巻装の仕方の違いや、太さの違いがあっても、血圧測定の際に脈波振幅を補正することで正確な血圧測定を行うようにした血圧計も提案されている（特許文献２参照）。具体的には、血圧測定中に脈波データを取得すると同時に、空気袋に一定の容積変化を与え、その応答からカフの巻装の仕方や太さの違いを判別して脈波振幅の補正を行う。
【先行技術文献】
【特許文献】
【０００４】
【特許文献１】特開２００１−４０３号公報
【特許文献２】特開２０１０−１４２４１８号公報
【発明の概要】
【発明が解決しようとする課題】
【０００５】
しかしながら、特許文献１の血圧計においては、測定対象部位の太さに応じて複数のカフを必要とし血圧計の部品点数が増加してしまうとともに、太さに応じたカフの付け替えに手間が掛かってしまう。また、特許文献２の血圧計においては、脈波振幅の補正を行うために、シリンダ等の専用の回路部が必要となり、さらには補正用の演算部も必要であり、構成が複雑であり、部品点数も増加してしまっている。
【０００６】
本発明は、このような従来技術の問題点に鑑みてなされたものであって、その目的は、一つのカフを用いながらも簡単な構成で血圧を正確に測定することができる電子血圧計を提供することにある。
【課題を解決するための手段】
【０００７】
上記問題点を解決するために、本発明の血圧計は、膨張可能な袋がカフ帯に内包されてなるカフを長さ方向に沿って測定対象部位に巻装し、該測定対象部位の脈動に伴う前記袋の圧力変化から演算部によって血圧を算出するように構成された血圧計であって、前記カフは、前記長さ方向に直交する幅方向への長さであるカフ幅を調節可能にするカフ幅調節機構を備え、前記演算部は、前記カフ幅調節機構によって調節されたカフ幅、及び前記測定対象部位の太さに応じて血圧算出定数を調整して血圧を算出することを要旨とする。
【０００８】
上記構成において、前記カフ幅調節機構は、調節後の前記カフ幅を指定するカフ幅指定部と、前記測定対象部位の太さを判断する太さ判断部と、前記カフ幅指定部によって指定されたカフ幅情報と、前記太さ判断部によって検出された太さ情報とに基づいて、前記カフ幅情報と前記太さ情報との適合性を判断する適合性判断部と、前記適合性判断部による判断結果を報知する報知部と、を備えることが望ましい。
【０００９】
上記構成において、前記カフ幅調節機構は、前記袋を複数有するとともに、各袋に連通するチューブを複数有することが望ましい。
上記構成において、前記カフ幅調節機構は、前記袋を一つ有するとともに、前記カフの長さ方向にスライドしながら前記カフの幅方向で前記袋内の空間を複数に区画する区画手段であることが望ましい。
【００１０】
上記構成において、前記カフ幅調節機構は、前記袋を一つ有するとともに、前記カフを長さ方向に沿って挟持しながら前記カフの幅方向で前記袋内の空間を複数に区画する挟持部材であることが望ましい。
【発明の効果】
【００１１】
本発明によれば、一つのカフを用いながらも簡単な構成で血圧を正確に測定することができる。
【図面の簡単な説明】
【００１２】
【図１】第１実施形態における電子血圧計の斜視図。
【図２】（ａ）は、第１実施形態のカフ及び空気袋を示す斜視図、（ｂ）は、空気袋を示す図２（ａ）のｂ−ｂ線断面図。
【図３】第１実施形態における電子血圧計のブロック図。
【図４】（ａ）は、幅狭空気袋内の圧力と時間の関係を示すグラフ、（ｂ）は、広幅空気袋内の圧力と時間の関係を示すグラフ。
【図５】表示部の表示を示す模式図。
【図６】（ａ）は、第２実施形態におけるカフを示す斜視図、（ｂ）は、カフを示す図６（ａ）の６ｂ−６ｂ線断面図。
【図７】第２実施形態における電子血圧計のブロック図。
【図８】カフの別例を示す斜視図。
【発明を実施するための形態】
【００１３】
（第１実施形態）
以下、本発明を電子血圧計に具体化した第１実施形態について図１〜図４に従って説明する。
【００１４】
図１に示すように、電子血圧計１の本体２０には、測定対象部位としての上腕に巻装されるカフ１０が、チューブ２を介して接続されている。カフ１０は、帯状をなすとともに、長さ方向に沿って上腕に巻き付けられる。また、カフ１０は、膨張可能な袋としての空気袋１２がカフ帯１１に内包されて形成されている。図２に示すように、カフ１０の長さ方向Ｙ１に対し直交する方向（矢印Ｙ２の延びる方向）をカフ１０及び空気袋１２の幅方向とするとともに、幅方向に沿ったカフ１０の長さをカフ幅とする。
【００１５】
図２（ａ）及び（ｂ）に示すように、空気袋１２は、長尺状の広幅空気袋１２ａに、長尺状の狭幅空気袋１２ｂが内包されて形成されている。広幅空気袋１２ａの幅方向への長さは、カフ帯１１の幅方向への長さとほぼ同じに設定されるとともに、狭幅空気袋１２ｂの幅方向への長さは、広幅空気袋１２ａの幅方向への長さより短く設定されている。また、広幅空気袋１２ａには、広幅用チューブ２ａが接続されるとともに、狭幅空気袋１２ｂには狭幅用チューブ２ｃが接続されている。広幅用チューブ２ａには狭幅用チューブ２ｃが内包されるとともに、チューブ２は、これら広幅用チューブ２ａと狭幅用チューブ２ｃとを積層して形成されている。
【００１６】
次に、本体２０の構成について説明する。図３に示すように、本体２０内には、空気袋１２に空気を供給するためのポンプ２７が内蔵されるとともに、このポンプ２７の供給ポート（図示せず）には継手２７ａが接続されている。継手２７ａには切替弁２９が設けられるとともに、継手２７ａには切替弁２９を介してチューブ２が接続されている。そして、切替弁２９の切替により、ポンプ２７と各空気袋１２ａ，１２ｂとの連通状態が切り替えられる。また、継手２７ａには、各空気袋１２ａ，１２ｂの圧力を測定するための圧力センサ３０が設置されている。
【００１７】
そして、本体２０のＣＰＵ２１には、ポンプ２７、切替弁２９、及び圧力センサ３０が信号接続されるとともに、ＣＰＵ２１は、ポンプ２７、及び切替弁２９の駆動を制御するとともに、ＣＰＵ２１には圧力センサ３０からの検出結果が入力される。
【００１８】
加えて、ＣＰＵ２１には、電子血圧計１の駆動を制御するプログラムや、各種情報を記憶するためのメモリ２４が信号接続されている。また、メモリ２４には、ＣＰＵ２１が血圧を算出するときに用いられる血圧算出定数、上腕の太さを判定する際の閾値等が記憶されている。この血圧算出定数は、上腕の太さに応じた血圧を算出するために用いられる定数のことである。
【００１９】
本体２０の表面には、電子血圧計１を操作するための操作部２３及び各種情報を表示する報知部としての表示部２２が設けられている。操作部２３には、血圧測定を開始するために操作される測定開始スイッチ２３ａと、カフ幅の太さを指定するために操作される太さ選択スイッチ２３ｂと、過去に測定された血圧を表示部２２に表示させるために操作される呼出スイッチ２３ｃとが配置されている。そして、各スイッチ２３ａ〜２３ｃは、ＣＰＵ２１に信号接続されている。なお、太さ選択スイッチ２３ｂを操作することにより、カフ幅を「細い」又は「太い」の２段階で切り替えることができるようになっている。したがって、本実施形態では、太さ選択スイッチ２３ｂがカフ幅を指定するカフ幅指定部として機能するとともに、指定されたカフ幅情報は、ＣＰＵ２１に入力されるようになっている。
【００２０】
次に、ＣＰＵ２１が行う制御について説明する。
ＣＰＵ２１は、太さ選択スイッチ２３ｂによって「細い」が選択されたときは、狭幅用チューブ２ｃを介して狭幅空気袋１２ｂとポンプ２７を連通させるように切替弁２９を制御する。一方、太さ選択スイッチ２３ｂによって「太い」が選択されたときは、ＣＰＵ２１は、広幅用チューブ２ａを介して広幅空気袋１２ａとポンプ２７を連通させるように切替弁２９を制御する。その結果、膨張する空気袋１２が異なり、カフ１０のカフ幅が変更される。よって、本実施形態では、各空気袋１２ａ，１２ｂ、各チューブ２ａ，２ｃ、及び切替弁２９がカフ幅調節機構として機能する。
【００２１】
また、電子血圧計１による血圧測定においては、血圧の測定開始から空気袋１２の圧力が、予め設定された基準圧力に達すると、上腕の圧迫が開始されるようになっている。ここで、図４（ａ）及び（ｂ）に示すように、空気袋１２に空気が供給され、空気袋１２の圧力が高められる際、その圧力の高まる早さは、上腕の太さ、及びカフ幅により異なることがわかっている。具体的には、上腕の太さが細いほど空気袋１２の圧力は早く上昇し、カフ幅が狭いほど圧力は早く上昇する。
【００２２】
そして、本実施形態では、ＣＰＵ２１は、空気袋１２への空気の供給開始から時間を計測し、圧力が基準圧力Ｐｃ１，Ｐｃ２に達するまでの時間を計測するとともに、その計測した時間に基づいて上腕の太さを判断する。具体的には、各空気袋１２ａ，１２ｂの圧力が基準圧力Ｐｃ１，Ｐｃ２に達するまでの時間に関して、予め閾値Ｔｈ１，Ｔｈ２が設定されており、ＣＰＵ２１は、実測時間と閾値Ｔｈ１，Ｔｈ２を比較して上腕の太さを判定する。なお、この閾値Ｔｈ１，Ｔｈ２は、広幅空気袋１２ａと狭幅空気袋１２ｂで異なる値が設定されており、メモリ２４に記憶されている。そして、ＣＰＵ２１は、圧力が基準圧力Ｐｃ１，Ｐｃ２に達するまでの時間が閾値Ｔｈ１，Ｔｈ２未満であれば「細い」、閾値Ｔｈ１，Ｔｈ２以上であれば「太い」と判断する。したがって、本実施形態では、ＣＰＵ２１が太さ判断部として機能する。
【００２３】
さらに、ＣＰＵ２１は、判断した上腕の太さ情報と、太さ選択スイッチ２３ｂの操作によって指定されたカフ幅情報とが適合するか否かを判断し、その判断結果を表示部２２に表示する。したがって、本実施形態では、ＣＰＵ２１が適合性判断部として機能する。具体的には、ＣＰＵ２１は、判断した上腕の太さ情報と、太さ選択スイッチ２３ｂの操作によって指定されたカフ幅情報とが適合（合致）する場合は、表示部２２に判断結果は表示せず、適合しない場合は、カフ幅を変更する旨のメッセージを表示させる。
【００２４】
また、ＣＰＵ２１は、判断した上腕の太さに応じて血圧算出定数を選択するとともに、その血圧算出定数を用いて血圧を算出し、演算部として機能する。そして、ＣＰＵ２１は、算出した最高血圧値、及び最低血圧値を表示部２２に表示する。
【００２５】
次に、上記構成の電子血圧計１の作用について説明する。なお、以下の説明においては、使用者によりカフ幅の太さ「細い」が選択されて血圧を測定する場合について説明する。
【００２６】
使用者は、太さ選択スイッチ２３ｂを操作して、カフ幅の太さを「細い」を選択する。すると、太さ選択スイッチ２３ｂにより指定されたカフ幅情報はＣＰＵ２１に入力される。そして、使用者は、上腕にカフ１０を巻装し、測定開始スイッチ２３ａを操作する。ＣＰＵ２１は、指定されたカフ幅に応じて切替弁２９を制御して、狭幅用チューブ２ｃを介してポンプ２７と狭幅空気袋１２ｂを連通させるとともに、広幅用チューブ２ａを介したポンプ２７と広幅空気袋１２ａとの連通を遮断させる。
【００２７】
そして、ＣＰＵ２１が、ポンプ２７を駆動させると狭幅空気袋１２ｂは徐々に加圧されていき、膨張していく。狭幅空気袋１２ｂの圧力が基準圧力Ｐｃ２に達すると、ＣＰＵ２１は、狭幅空気袋１２ｂへの空気の供給開始から、基準圧力Ｐｃ２に達するまでに必要とした時間から、測定中の上腕の太さを判断する。
【００２８】
そして、ＣＰＵ２１が判断した上腕の太さが「太い」場合、太さ選択スイッチ２３ｂにより指定された「細い」カフ幅とは適合しないため、ＣＰＵ２１はポンプ２７の駆動を停止させる。このとき、図５に示すように、ＣＰＵ２１は、「太い」の選択を促すメッセージを表示部２２に表示させる。使用者は、メッセージを確認した場合は、太さ選択スイッチ２３ｂを操作して、「太い」を指定し、測定開始スイッチ２３ａを操作し、測定を開始する。一方、ＣＰＵ２１が判断した上腕の太さが「細い」場合、ＣＰＵ２１は、指定されたカフ幅の太さと適合するため、測定を継続する。
【００２９】
そして、カフ幅が細い場合には、狭幅空気袋１２ｂの圧力が基準圧力Ｐｃ２に達すると、カフ１０の内周が上腕を圧迫し、血管が圧迫される。血管が圧迫されると、血管の脈動に伴い、狭幅空気袋１２ｂに圧力変化が生じる。ＣＰＵ２１は、圧力の変化に対する脈波の変化から、血圧を算出する。このとき、ＣＰＵ２１は、細い上腕用に設定された血圧算出定数を選択し、その血圧算出定数を用いて血圧を算出する。そして、ＣＰＵ２１は、算出した血圧（最高血圧値及び最低血圧値）を表示部２２に表示し、測定を終了する。
【００３０】
一方、使用者が太さ選択スイッチ２３ｂにより指定したカフ幅の太さが「太い」場合、ＣＰＵ２１が判断した上腕の太さが「太い」である場合、ＣＰＵ２１は血圧の測定を続ける。一方で、判断した上腕の太さが「細い」場合、ＣＰＵ２１は、「細い」カフ幅の選択を促すメッセージを表示部２２に表示させる。
【００３１】
上記実施形態によれば、以下のような効果を得ることができる。
（１）電子血圧計１は、カフ幅調節機構を用いてカフ１０のカフ幅を調節可能になっているため、１つのカフ１０でありながら上腕の太さに合わせて適切なカフ幅を選択することができる。よって、上腕の太さに対応できるように複数のカフを用意する場合と比べて、電子血圧計１の部品を減らすことができる。
【００３２】
（２）電子血圧計１において、選択されたカフ幅に応じた血圧算出定数を選択して血圧を補正し、算出するようにした。このため、上腕の太さに応じて血圧の補正を行うために、別途機械的な構成を必要とせず、電子血圧計１の構成を簡単にしながらも、血圧を正確に測定することができる。
【００３３】
（３）ＣＰＵ２１は、使用者によって指定されたカフ幅の太さと、実際に測定した上腕の太さとが適合しない場合は、カフ幅の太さを変更する旨を表示部２２を表示する。このため、上腕の太さに適したカフ幅で血圧測定を行うことができ、血圧を正確に測定することができる。
（第２実施形態）
次に、本発明を電子血圧計に具体化した第２実施形態について図６〜図７に従って説明する。
【００３４】
図６（ａ）に示すように、カフ３５の幅方向の両側には、カフ３５長さ方向全体に亘ってスライド移動可能なスライダ４１が取り付けられている。スライダ４１は略コ字状をなすとともに、互いに対向する先端部４１ａの間にカフ３５が挟まれている。また、図６（ｂ）に示すように、カフ帯３６に内包された空気袋３７は、カフ帯３６に比べて長さ方向及び幅方向が僅かに短く設定され、カフ帯３６より一回り小さい長尺状に形成されている。そして、空気袋３７の幅方向の両側には、つまみ部３７ａが形成されるとともに、これらつまみ部３７ａはカフ帯３６を貫通してカフ３５の表面に引き出されている。
【００３５】
さらに、カフ３５の長さ方向の一端において、各スライダ４１の移動先となる位置それぞれにはボタンスイッチ４３が固定されている。各ボタンスイッチ４３は、各スライダ４１との接触によりＯＦＦからＯＮに切り替えられるようになっている。
【００３６】
空気袋３７の内面において、幅方向の両側には係止部材４４が空気袋３７の長さ方向に延びるように形成されるとともに、各係止部材４４と対向する位置には被係止部材４６が空気袋３７の長さ方向に延びるように形成されている。そして、対向する係止部材４４と被係止部材４６とを係止させることにより空気袋３７内の空間を区画可能になっている。
【００３７】
空気袋３７を介した各係止部材４４の外側には、スライダ４１が配置されており、スライダ４１を移動させることで係止部材４４を被係止部材４６に向けて押圧することができるようになっている。すなわち、スライダ４１のスライド移動に伴う係止部材４４の押圧により、係止部材４４を被係止部材４６に係止することができるようになっている。
【００３８】
そして、２つの係止部材４４を被係止部材４６に係止させると、空気袋３７の幅方向の中央に第１空気室４８が区画されるとともに、第１空気室４８の一側方に第２空気室４９が区画され、第１空気室４８の他側方に第３空気室５０が区画される。２つの係止部材４４のうち一方の係止部材４４を被係止部材４６に係止させた場合、第２空気室４９又は第３空気室５０以外の空気室に空気が供給され、カフ幅が一段階短く調節される。また、両係止部材４４をそれぞれ被係止部材４６に係止させた場合は、第１空気室４８のみに空気が供給され、カフ幅が最も短くなるように調節される。また、いずれの係止部材４４も被係止部材４６に係止させない場合は、空気袋３７全体に空気が供給され、カフ幅は調節されない。したがって、係止部材４４と被係止部材４６とから空気袋３７内を複数に区画する区画手段が構成されるとともに、カフ幅調節機構が構成されている。
【００３９】
次に、図７に従って、第２実施形態の電子血圧計１の電気的構成について説明を行う。
図７において、第１の実施形態と異なる点は、チューブ２が２層構造ではなく、単層のチューブである点と、太さ選択スイッチ２３ｂがない点と、ボタンスイッチ４３がＣＰＵ２１に信号接続されている点であり、他の構成は同一である。
【００４０】
次に、上記構成の電子血圧計１の作用について説明する。
使用者は測定開始スイッチ２３ａを操作する前に、カフ幅を調節する。使用者の上腕の太さが「太い」場合、使用者はいずれのスライダ４１も移動させない。すなわち、係止部材４４を被係止部材４６に係止させず、カフ３５のカフ幅を調節しない。一方、使用者の上腕の太さが「細い」場合、使用者は両スライダ４１を移動させて、両係止部材４４をそれぞれ被係止部材４６に係止させ、カフ幅を調節する。さらに、使用者の上腕の太さが「標準」の場合、２つの係止部材４４のうち一方のスライダ４１を移動させて、一つの係止部材４４を被係止部材４６に係止させ、カフ幅を調節する。なお、係止部材４４と被係止部材４６を係止させて、カフ幅を狭くした状態において、カフ幅を広くする場合は、つまみ部３７ａを引っ張ることにより、係止部材４４と被係止部材４６の係止を解除して行う。
【００４１】
カフ幅の調節の際に、スライダ４１を移動させ、スライダ４１をボタンスイッチ４３に接触させると、ＣＰＵ２１にはボタンスイッチ４３からＯＮ信号が入力され、カフ幅情報としてＣＰＵ２１に入力される。そして、測定開始スイッチ２３ａが操作されると、ＣＰＵ２１は、入力されたＯＮ信号に応じて、使用者が指定したカフ幅を検出する。具体的には、両ボタンスイッチ４３からＯＮ信号がＣＰＵ２１に入力されていれば、使用者は「細い」を指定したことになり、１つのボタンスイッチ４３からＯＮ信号がＣＰＵ２１に入力されていれば、使用者は「標準」を指定したことになる。そして、両ボタンスイッチ４３からＯＮ信号が出力されていなければ、使用者は「太い」を指定したことになる。よって、スライダ４１とボタンスイッチ４３とからカフ幅指定手段が構成されている。
【００４２】
そして、第１の実施形態と同様に、ＣＰＵ２１は、空気袋３７の圧力が基準圧力に達すると、空気袋３７への空気の供給開始から、基準圧力に達するまでに必要とした時間から、上腕の太さを判断する。そして、ＣＰＵ２１が計測により判断した上腕の太さ情報と、ボタンスイッチ４３からのＯＮ信号に基づいて得られたカフ幅情報とが適合しない場合、ＣＰＵ２１はポンプ２７の駆動を停止させるとともに、カフ幅の変更を促すメッセージを表示部２２に表示させる。その後、第１の実施形態と同様に、上腕の太さに応じた血圧算出定数を用いて血圧が測定される。
【００４３】
上記第２実施形態によれば、第１実施形態に記載の（１）〜（３）と同様の効果に加え、以下の効果を得ることができる。
（４）空気袋３７の内面に、空気袋３７の長さ方向に延びる係止部材４４を設けるとともに、この係止部材４４と係止する被係止部材４６を空気袋３７の長さ方向に延びるように設けた。そして、係止部材４４と被係止部材４６させることにより、空気袋３７を幅方向で区画して、カフ幅を調節可能にした。よって、簡単な構成でカフ幅を調節することができる。
【００４４】
（５）係止部材４４と被係止部材４６とを係止させるためのスライダ４１を、カフ３５の長さ方向にスライド移動可能に設けるとともに、このスライダ４１の移動先にボタンスイッチ４３を設けた。そして、スライダ４１を移動させてカフ幅を調節した際、スライダ４１をボタンスイッチ４３に接触させると、ボタンスイッチ４３からＣＰＵ２１にＯＮ信号が入力されるようにした。よって、使用者によるカフ幅の指定と同時に、ＣＰＵ２１にはカフ幅の指定に関する情報が入力される。したがって、使用者は、カフ幅指定に関する情報を操作部２３の操作によって入力する必要がなく、血圧測定を簡単に行うことができる。
【００４５】
なお、上記各実施形態は以下のように変更してもよい。
・第１及び第２実施形態において、袋として空気袋１２，３７に換えて、空気以外の流体、例えば液体やジェルが供給される袋に変更してもよい。
【００４６】
・第１及び第２実施形態において、ＣＰＵ２１が実測により判断した上腕の太さと、使用者が選択した上腕の太さとが異なるときに、ＣＰＵ２１は測定を中止せず、そのまま測定を続けるようにしてもよい。
【００４７】
・第１及び第２実施形態において、電子血圧計１は、空気袋１２，３７を加圧中に血圧を検出する加圧式電子血圧計としたが、空気袋１２，３７を減圧中に血圧を検出する減圧式電子血圧計に具体化してもよい。
【００４８】
・第１及び第２実施形態において、血圧算出定数は手動で変更するようにしてもよい。
・第１実施形態において、広幅空気袋１２ａが内包する空気袋の数を増やしてもよい。
・第２実施形態において、スライダ４１、係止部材４４、及び被係止部材４６を２つずつ設けたが、その数は１つでもよいし、３つ以上でもよい。
【００４９】
・第２の実施形態においては、空気袋３７の区画は、係止部材４４と被係止部材４６との係止により行ったが、これに代えて、図８に示すようにしてもよい。すなわち、カフ３５（空気袋３７）を幅方向の複数箇所で挟持部材６０により挟むことにより空気袋３７内を区画するようにしてもよい。この場合、挟持部材６０がカフ幅調節機構として機能する。なお、カフ３５には、挟持部材６０を配置する目安となるライン（図示せず）が表示されるとともに、ライン上にボタンスイッチ４３が設置されている。そして、挟持部材６０で空気袋３７を区画すると、挟持部材６０によりボタンスイッチ４３がＯＮに切り換えられて、ＣＰＵ２１にＯＮ信号が入力されるようになっている。挟持部材６０は、可撓性を有する一対の棒材６１の両端を固定具６２で固定することにより構成され、棒材６１を引っ張った状態で移動、又は取り外しすることができる。
【００５０】
なお、ラインの数は増やしてもよい。
・各実施形態では、報知部として表示部２２に具体化したが、報知部を音声だけで各種情報を報知するスピーカに変更してもよい。
【００５１】
・各実施形態では、測定対象部位として上腕に具体化したが、上腕に限らず手首やその他の部位に変更してもよい。
次に、上記実施形態及び別例から把握できる技術的思想について、以下に追記する。
【００５２】
（イ）膨張可能な袋がカフ帯に内包されてなるカフを長さ方向に沿って測定対象部位に巻装し、該測定対象部位の脈動に伴う前記袋の圧力変化から演算部によって血圧を算出するように構成された血圧計であって、
前記カフは、前記長さ方向に直交する幅方向への長さであるカフ幅を調節可能にするカフ幅調節機構を備え、
該カフ幅調節機構は、調節後の前記カフ幅を検出するカフ幅検出部と、
前記測定対象部位の太さを判断する太さ判断部と、
前記カフ幅検出部によって検出されたカフ幅情報と、前記太さ判断部によって検出された太さ情報とに基づいて、前記カフ幅情報と前記太さ情報との適合性を判断する適合性判断部と、
前記適合性判断部による判断結果を報知する報知部と、を備えることを特徴とする血圧計。
【符号の説明】
【００５３】
１…血圧計としての電子血圧計、２…チューブ、２ａ…カフ幅調節機構を構成する広幅用チューブ、２ｃ…カフ幅調節機構を構成する狭幅チューブ、１０，３５…カフ、１１，３６…カフ帯、１２，３７…袋としての空気袋、１２ａ…カフ幅調節機構を構成する広幅空気袋、１２ｂ…カフ幅調節機構を構成する狭幅空気袋、２１…演算部、太さ判断部、適合性判断部としてのＣＰＵ、２２…報知部としての表示部、２９…切替弁、４４…カフ幅調節機構としての区画手段を構成する係止部材、４６…カフ幅調節機構としての区画手段を構成する被係止部材、６０…カフ幅調節機構としてのカフ幅調節機構としての挟持部材。
【図１】
2012147995.tif 000003
【図２】
2012147995.tif 000004
【図３】
2012147995.tif 000005
【図４】
2012147995.tif 000006
【図５】
2012147995.tif 000007
【図６】
2012147995.tif 000008
【図７】
2012147995.tif 000009
【図８】
2012147995.tif 000010